(57)【要約】【課題】不耕起直播機において、播種溝の成形開始前及び成形終了後において機体を旋回させた後にこの機体を地上に下げても、播種導管の先端の放出口に土が詰まらないようにして、不耕起直播作業をスムーズに行えるようにすることである。【解決手段】機体１と、前記機体１の左右方向に配置支持された作溝輪駆動軸４に所定間隔をおいて多数の作溝輪Ｗが取付けられた作溝輪装置Ａと、前記作溝輪装置Ａの各作溝輪Ｗにより形成された播種溝Ｖ内に播種導管１６を介して種子Ｋを落下させるための播種装置Ｂとを備え、トラクタにより牽引されて作溝直後の播種溝Ｖ内に播種を行う不耕起直播機であって、前記機体１の前部に略垂直に取付けられた支持脚３１の下端部に接地体Ｔ１  が機体後方に回動可能に連結されたスタンド装置Ｓ１  を備えた構成とする。【選択図】        図６
2004254589.tif 000002
【特許請求の範囲】
【請求項１】
機体と、前記機体の左右方向に配置支持された作溝輪駆動軸に所定間隔をおいて多数の作溝輪が取付けられた作溝輪装置と、前記作溝輪装置の各作溝輪により形成された播種溝内に播種導管を介して種子を落下させるための播種装置とを備え、トラクタにより牽引されて作溝直後の播種溝内に播種を行う不耕起直播機であって、
前記機体の前部に略垂直に取付けられた支持脚の下端部に接地体が機体後方に回動可能に連結されたスタンド装置を備え、
前記スタンド装置は、機体を下げて停止した状態では、前記作溝輪装置が土面から離間し、又は土中に深く喰い込まない状態で前記接地体が接地して、前記機体が支持されると共に、機体が前進を開始した状態では、前記接地体が後方に折曲げられて、機体が下がる構成であることを特徴とする不耕起直播機。
【請求項２】
前記スタンド装置は、そり状の接地体の左右両端部が左右一対の各脚体の下端部に回動可能に連結された構成であることを特徴とする請求項１に記載の不耕起直播機。
【請求項３】
前記スタンド装置は、ローラ状の接地体の左右両端部が左右一対の各脚体の下端部にリンク体を介して回動可能に連結された構成であることを特徴とする請求項１に記載の不耕起直播機。
【請求項４】
前記接地体は、左右に二分割され、かつ左右方向に所定間隔をおいて配置される一対の分割接地体で構成され、各分割接地体は、左右の各脚体にそれぞれ回動可能に連結されていることを特徴とする請求項１ないし３のいずれかに記載の不耕起直播機。
【請求項５】
前記スタンド装置には、接地体が機体の前方に回動するのを阻止するストッパを備えていることを特徴とする請求項１ないし４のいずれかに記載の不耕起直播機。
【発明の詳細な説明】
【０００１】
【発明の属する技術分野】
本発明は、トラクタにより牽引されて作溝直後の播種溝内に播種を行う不耕起直播機に関するものである。
【０００２】
【従来の技術】
最初に、本発明の実施形態に係る図面を参照にして、不耕起直播機の基本構成及びその作用を説明し、その後に、従来の不耕起直播機の問題点に言及する。図１は、本発明に係るスタンド装置Ｓ１  によって機体１の全体が持ち上げられて、土面Ｇに対して作溝輪装置Ａが離間して配置された状態の不耕起直播機の側面図であり、図２は、スタンド装置Ｓ１  の接地体Ｔ１  が機体１の後方に回動した作業状態の不耕起直播機の側面図であり、図３は、機体１の全体が持ち上げられた状態の不耕起直播機の概略平面図であり、図４は、作溝輪装置Ａを前方から見た図であり、図５は、作溝直後の播種溝Ｖに播種・施肥が行われる状態を示す斜視図である。
【０００３】
この不耕起直播機は、牽引車であるトラクタに牽引して使用され、図１ないし図４に示されるように、機体１の前部における左右両端の一方（実施形態では左端）には接地輪２が配置され、該接地輪２は、チェーンケース３を介して機体１に対して上下動可能であって、しかも圧縮バネ（図示せず）を介して下方に付勢された状態で機体１に支持されている。機体１における前記接地輪２の後方には、作溝輪装置Ａが機体１の横方向（左右方向）に沿って配置されている。この作溝輪装置Ａは、作溝輪駆動軸４に、形成する条間に対応した間隔（約２０ｃｍ）をおいて多数の作溝輪Ｗが一体に取付けられた構成である。この作溝輪Ｗは、図５に示されるように、一対のわん曲円板５の外周部を溶接して、外周部が断面Ｖ字状となった作溝輪本体６と、該作溝輪本体６の両側にそれぞれ当てがわれて各わん曲円板５の外側に一体に溶接される一対の鍔リング体７とから成り、各鍔リング体７の外周面から作溝輪本体６の外周部が突出した構成である。作溝輪本体６は、パイプ状の取付体８の外周面に溶接により一体化され、作溝輪Ｗは、前記取付体８、作溝輪駆動軸４及び取付体８を貫通する取付ピン１０、並びにガタつき防止用の固定ボルト９を介して作溝輪駆動軸４に前記間隔をおいて一体に取付けられる。そして、図５に示されるように、作溝輪駆動軸４が駆動回転されて機体１が前進すると、作溝輪Ｗを構成する鍔リング体７が土面Ｇに接した状態で、作溝輪本体６における鍔リング体７から突出した作溝部６ａによって土面Ｇに作溝される。
【０００４】
また、機体１における作溝輪装置Ａの斜後上方には、作溝直後の播種溝Ｖ内に播種と施肥とを同時に行う播種装置Ｂが装着されている。即ち、作溝輪装置Ａを構成する各作溝輪Ｗの斜後上方には、種子と肥料とを分離して収容可能な多数のホッパー１１がそれぞれ配置され、各ホッパー１１は、その内部に設けられた分離板１２により種子収容室１３と肥料収容室１４とに分離されている。また、各ホッパー１１の下方には、該ホッパー１１の各収容室１３，１４から別々に繰り出された種子と肥料とを混合状態で収容可能な受け器１５が取付けられ、各受け器１５には、形成された播種溝Ｖ（図２及び図５参照）に、種子と肥料との混合物を落下案内するための播種導管１６がそれぞれ連結されている。この播種導管１６は、内径が２５ｍｍ程度のビニールホース等の柔軟材料で形成されたものであるため、先端の放出口１６ａが播種溝Ｖの上縁に接した場合には、自在にわん曲する。また、機体１における前記作溝輪装置Ａの後方には、作溝輪駆動軸４の軸方向に沿って各作溝輪Ｗと同一位置に、それぞれ覆土チェーン１７が連結されている。播種導管１６の下端の放出口１６ａは、播種状態において播種溝Ｖ上に接した状態で引きずられて播種溝Ｖを案内として走行する長さを有している。覆土チェーン１７の後端に連結された重錘１７ａは、播種状態において、播種溝Ｖの両側の土を削って播種溝Ｖ内に落し込めれるように、先端の所定長の部分が土面Ｇに接地するような長さとなっている。
【０００５】
また、図４に示されるように、機体１における前記受け器１５の前方には、円筒ケーシング１８が横方向に水平に配置されて、その両端部に駆動軸支持ブラケット１９が下方に向けて一体にそれぞれ取付けられ、各駆動軸支持ブラケット１９の下端部に前記作溝輪駆動軸４が回転可能に支持されている。円筒ケーシング１８を長手方向に二分した一方の部分（右半分）には、伝動軸２１が内装されて、その両端部が支持され、前記伝動軸２１の内端部には、該伝動軸２１と直交する入力軸２２から傘歯車２３ａ，２３ｂを介して牽引車であるトラクタの動力が伝動軸２１に伝達されると共に、伝動軸２１の外端部（左端部）に取付けられたチェーン歯車２４と、作溝輪駆動軸４の一端部に取付けられたチェーン歯車２５との間に無端チェーン２６が掛装されている。
【０００６】
トラクタのＰＴＯ軸（図示せず）と不耕起直播機の前記入力軸２２とはユニバーサルジョイント（図示せず）を介して連結され、トラクタの動力は、前記伝動軸２１を介して作溝輪駆動軸４に伝達されて、これに取付けられた各作溝輪Ｗが駆動回転される。また、左右一対の駆動軸支持ブラケット１９の一方は、前記各チェーン歯車２４，２５及び無端チェーン２６を内装するチェーンケースを兼用している。また、前記接地輪２は、機体１の走行によって従動回転する。なお、図４において、入力軸２２は、図示可能にするために図面上では垂直配置されているが、現実の配置はほぼ水平である。
【０００７】
また、図１ないし図３に示されるように、機体１における円筒ケーシング１８の中央部からその前方に至る部分には、その長手方向に所定間隔をおいて一対の下支持棹２７が前斜下方を向いて固定されていると共に、前記一対の下支持棹２７の中央部には、前斜上方を向いて上支持棹２８が固定され、一対の下支持棹２７と一本の上支持棹２８の前端部には、トラクタの後部に装着された三点リンクヒッチＬに連結して機体１を昇降させるためのクイックヒッチＭが取付けられている。
【０００８】
上記構成の不耕起直播機の機体１は、その前部に取付けられたクイックヒッチＭ及びトラクタの後部に取付けられた三点リンクヒッチＬを介してトラクタに連結されて、牽引されると共に、昇降される。なお、図１及び図２において、２９は、三点リンクヒッチＬのトップリンクを示す。
【０００９】
そして、図２及び図５において、トラクタにより機体１が牽引されて、矢印Ｐ方向に進行すると、トラクタの動力が作溝輪駆動軸４に伝達されて、各作溝輪Ｗがダウンカット状態で駆動回転されると共に、接地輪２は接地駆動のため前進して従動回転されることにより、該接地輪２の回転力が伝動機構（図示せず）を介して前記ホッパー１１内の繰出機構（図示せず）を作動させて、該ホッパー１１内の各収容室１３，１４に分離収容されている種子Ｋと肥料とをそれぞれ繰り出して、その直下の受け器１５内において両者を混合させ、その混合物が、機体１の走行速度に比例した量だけ繰り出される。各作溝輪Ｗの駆動回転により、図５に示されるように、圃場には、作溝輪本体６の作溝部６ａの長さに対応した深さの多数の播種溝Ｖが、作溝輪駆動軸４に取付けられた多数の作溝輪Ｗのピッチと同一のピッチ（Ｑ）をおいて形成される。形成直後の播種溝Ｖには、種子Ｋと肥料との混合物が播種導管１６を介して落下供給されて、播種溝Ｖの溝底に播種と施肥とが同時に行われ、その直後に、覆土チェーン１７の重錘１７ａにより前記播種溝Ｖ内に少量の土が落下されて、種子Ｋ及び肥料に覆土される。
【００１０】
そして、上記のようにしてトラクタにより不耕起直播機の機体１を牽引して、作溝直後の播種溝Ｖ内に播種を行うのであるが、播種溝Ｖの成形開始前と成形終了後においては、機体１を上昇させた状態で１８０°旋回して、播種済の播種溝Ｖ群の隣に新たな播種溝Ｖ群を作溝して播種作業を行う。ここで、前記旋回時において、トラクタの運転者がクラッチを操作してトラクタのＰＴＯ軸から不耕起直播機の側への動力伝達を遮断すれば、各作溝輪Ｗが回転停止するために問題はない。しかし、前記動力伝達を遮断せずに、即ち各作溝輪Ｗが回転したままで前記旋回作業を行った後に不耕起直播機の機体１を下げると、図１０に示されるように、回転中の各作溝輪Ｗが土面Ｇを切り込むために、土面Ｇに対して機体１が下がる。これにより、播種導管１６の先端（下端）の放出口１６ａが土面Ｇに喰い込んで、放出口１６ａに土Ｕが詰まることがあり、この不具合は、土面Ｇが軟弱な場合ほど顕著となる。これにより、播種導管１６から種子Ｋ及び肥料が放出されなくなって、不耕起直播機による播種・施肥をスムーズに行えなくなる。
【００１１】
【発明が解決しようとする課題】
本発明の課題は、上記した不耕起直播機において、播種溝の成形開始前と成形終了後において機体を旋回させた後にこの機体を地上に下げても、播種導管の先端の放出口に土が詰まらないようにして、不耕起直播作業をスムーズに行えるようにすることである。
【００１２】
【課題を解決するための手段】
上記課題を解決するための請求項１の発明は、機体と、前記機体の左右方向に配置支持された作溝輪駆動軸に所定間隔をおいて多数の作溝輪が取付けられた作溝輪装置と、前記作溝輪装置の各作溝輪により形成された播種溝内に播種導管を介して種子を落下させるための播種装置とを備え、トラクタにより牽引されて作溝直後の播種溝内に播種を行う不耕起直播機であって、前記機体の前部に略垂直に取付けられた支持脚の下端部に接地体が機体後方に回動可能に連結されたスタンド装置を備えていることを特徴としている。
【００１３】
請求項１の発明によれば、播種溝の成形開始前及び成形終了後においてトラクタの後部に連結された不耕起直播機の機体を１８０°旋回させた後に、前記機体を下げると、支持脚の下端部に回動可能に連結された接地体は、自重によって支持脚の直下に下がって位置しているため、前記接地体が接地して、機体は、その作溝輪装置が土面から離間した状態で一時的に支持される。このため、作溝輪装置の各作溝輪は、回転したままであっても土中に喰い込まなくなって、機体が下がらないため、機体が一時的に停止しても播種導管の先端の放出口に土が詰まらなくなる。
【００１４】
また、接地体が土面に接地して、作溝輪装置が土面から離間して機体が支持された状態で機体が前進を開始すると、土面に接地して機体を支持している接地体はそのままの状態で、機体（支持脚）が前進するため、接地体は支持脚に対して後方に折り曲げられた状態となる。このため、機体は前進しながら土面に対して下がって、回転中の各作溝輪により播種溝が作溝されると共に、作溝直後の播種溝の上縁に播種導管の先端の放出口が案内されることにより、種子がスムーズに放出されて播種される。また、機体後方に折り曲げられた接地体は、播種溝の作溝前の土面を摺動するのみであるので、作溝輪による作溝作業には、全く悪影響を及ぼさない。
【００１５】
また、請求項２の発明は、請求項１の発明において、前記スタンド装置は、そり状の接地体の左右両端部が左右一対の各脚体の下端部に回動可能に連結された構成であることを特徴としている。接地体がそり状であるので、作溝輪装置が土面から離間した状態で機体を一時的に支持する際の支持状態が安定し、しかもこの状態で機体が前進した場合には、接地体は確実に機体の後方に折り曲げられる。
【００１６】
また、請求項３の発明は、請求項１の発明において、前記スタンド装置は、ローラ状の接地体の左右両端部が左右一対の各脚体の下端部にリンク体を介して回動可能に連結された構成であることを特徴としている。接地体がローラ状であるため、機体後方への折り曲げが確実となると共に、後方に折り曲げられたローラ状の接地体は、土面を転動するために小抵抗で牽引される利点を有する。
【００１７】
また、請求項４の発明は、請求項１ないし３のいずれかの発明において、前記接地体は、左右に二分割され、かつ左右方向に所定間隔をおいて配置される一対の分割接地体で構成され、各分割接地体は、左右の各脚体にそれぞれ回動可能に連結されていることを特徴としている。接地体が左右一対の分割接地体で構成されて、接地体の全長が短くなるため、作溝時における摺動抵抗が小さくなる。
【００１８】
また、請求項５の発明は、請求項１ないし４のいずれかの発明において、前記スタンド装置には、接地体が機体の前方に回動するのを阻止するストッパを備えていることを特徴としている。接地体が下がって機体を支持する際、或いは機体を支持している状態で機体が前進する際に、接地体が前方に回動して機体の前進時に接地体が邪魔となる不具合を確実に防止できる。
【００１９】
【発明の実施の形態】
以下、図１ないし図９に示される複数の実施形態を挙げて本発明を更に詳細に説明する。なお、不耕起直播機の基本構成、及びその作用は、「従来の技術」の項目における説明と同一であるので、重複説明を避けて、本発明に係るスタンド装置Ｓ１  〜Ｓ４  、及びこれに関連する部分についてのみ説明する。第１実施形態のスタンド装置Ｓ１  は、図１ないし図３及び図６に示されるように、機体１の前部の横方向の中央部に、略垂直で、しかも横方向に所定間隔をおいて配置されて、前記機体１に一体に取付けられた一対の支持脚３１と、該一対の支持脚３１の下端部に回動可能に連結されたそり状の接地体Ｔ１  とで構成される。即ち、前記一対の下支持棹２７には、該一対の下支持棹２７の間隔よりも長い取付棹３３が横方向に一体に取付けられて、取付棹３３の両端部は、各下支持棹２７に対して横方向に所定長だけ突出している。一対の支持脚３１の上端部には、後方に向けて略水平に連結棹３４が一体に取付けられて、各連結棹３４の後端部は、前記取付棹３３の両端部にブラケット３２を介して一体に取付けられている。
【００２０】
また、接地体Ｔ１  は、所定間隔をおいて平行に配置された一対のパイプ体３５が、その上下面においてそれぞれ板体３６で一体に連結された構成であって、全体として「そり状」を呈している。接地体Ｔ１  の両端部には、三角形状の連結ブラケット３７が固着されて、接地体Ｔ１  は、左右両端の各連結ブラケット３７の部分において、連結ピン３８を介して各支持脚３１の下端部に回動可能に連結されている。このため、不耕起直播機の機体１の全体を土面Ｇから持ち上げると、スタンド装置Ｓ１  を構成する接地体Ｔ１  は、その左右両端において一対の支持脚３１に吊り下げられた状態となって、その直下に配置される。機体１の全体が土面Ｇから持ち上げられた状態で、機体１を下げると、最初にスタンド装置Ｓ１  を構成する接地体Ｔ１  が土面Ｇに接地し、接地輪２及び覆土チェーン１７を除いて他の部分は、土面Ｇに接地しない状態で、機体１の全体は、スタンド装置Ｓ１  により仮支持される〔図１及び図６（イ）参照〕。特に、スタンド装置Ｓ１  の接地体Ｔ１  の底面は、平面状になっているために、前記仮支持状態が安定する利点がある。
【００２１】
このため、圃場における播種溝Ｖの成形開始前及び成形終了後においてトラクタの後部に連結された不耕起直播機の機体１を１８０°旋回させた後に、前記機体１を下げると、支持脚３１の下端部に回動可能に連結されたそり状の接地体Ｔ１  は、自重によって各支持脚３１の直下に下がって位置しているため、機体１は、接地輪２及び覆土チェーン１７を除いて前記接地体Ｔ１  が最初に接地して、各作溝輪Ｗが土面Ｇから離間した状態で機体１はスタンド装置Ｓ１  により仮支持される。このため、作溝輪装置Ａの各作溝輪Ｗは、回転したままであっても土中に喰い込まなくなって、機体１が下がらないため、機体１が一時的に停止しても播種導管１６の先端の放出口１６ａは土中に入り込まないので、放出口１６ａに土が詰まらなくなる。
【００２２】
また、上記状態、即ち、スタンド装置Ｓ１  によって、作溝輪装置Ａが土面Ｇから離間した状態で機体１が一時的に停止して仮支持された状態において、機体１が前進を開始すると、土面Ｇに接地して機体１を支持している接地体Ｔ１  はそのままの状態で、機体１（一対の支持脚３１）が前進するため、接地体Ｔ１  は一対の支持脚３１に対して相対的に後退して、後方に折り曲げられた状態となる〔図２及び図６（ロ）参照〕。これにより、機体１は、前進しながら土面Ｇに対して下がって、回転中の各作溝輪Ｗにより播種溝Ｖが作溝されると共に、作溝直後の播種溝Ｖの上縁に播種導管１６の先端の放出口１６ａが案内されて、種子Ｋがスムーズに放出されて播種される。また、機体１が前進して播種作業を行っている間において、機体１の後方に折り曲げられた接地体Ｔ１  は、播種溝Ｖの作溝前の土面Ｇを軽く摺動するのみであり、作溝された播種溝Ｖを崩す等の恐れは全くなく、作溝輪Ｗによる作溝作業には、全く悪影響を及ぼさない。
【００２３】
次に、本発明の別の実施形態のスタンド装置Ｓ２  〜Ｓ４  について、前記スタンド装置Ｓ１  と異なる部分についてのみ簡単に説明する。図７に示されるスタンド装置Ｓ２  は、ローラ状（コロ状）の接地体Ｔ２  を備えており、接地体Ｔ２  は、その両端部が一対のリンク体４１を介して一対の支持脚３１の下端部に、その全体が回動可能に連結されている。即ち、各リンク体４１の長手方向の一端部は、支点ピン４２を介して各支持脚３１の下端部に連結されていると共に、その他端部は、連結軸４３を介して接地体Ｔ２  の端面に回転自在に連結されている。また、一対の支持脚３１の下端部の前端には、前記リンク体４１が略垂直位置から機体１の前方に回動するのを阻止するストッパ板４４が一体に取付けられている。
【００２４】
このため、不耕起直播機の機体１が上方に持ち上げられると、図７で実線で示されるように、両端の各リンク体４１が略垂直となって、接地体Ｔ２  は、一対の支持脚３１の直下に吊り下げられた状態となって配置される。この状態で、機体１を下げると、ローラ状の接地体Ｔ２  は、左右両端の各ストッパ板４４の作用によって、機体１の前方に回動するのを阻止された状態で、機体１は、略垂直姿勢の一対のリンク体４１を介して一対の支持脚３１の下端部に連結された接地体Ｔ２  により一時的に仮支持される。このため、各作溝輪Ｗが土面Ｇとの間において離間配置され、各作溝輪Ｗが回転していても、土面Ｇに喰い込まない。よって、播種導管１６の先端の放出口１６ａに土が詰まらなくなる。
【００２５】
また、上記した機体１の仮支持状態において、機体１が前進すると、図７の部分拡大図で二点鎖線で示されるように、ローラ状の接地体Ｔ２  は、各支持脚３１（機体１）に対して相対的に後退して、各支持脚３１に対して後方に折り曲げられて機体１が下がる。これにより、回転中の各作溝輪Ｗにより播種溝Ｖが作溝されて、作溝直後の播種溝Ｖの上縁に播種導管１６の先端の放出口１６ａが案内されるため、この放出口１６ａに土が詰まることはない。本実施形態のスタンド装置Ｓ２  は、接地体Ｔ２  がローラ状であるために、後方に折り曲げられて牽引される際の抵抗が小さい利点がある。
【００２６】
また、図８に示されるスタンド装置Ｓ３  を構成する接地体Ｔ３  は、左右方向に二分され、かつ左右方向に所定間隔をおいて配置される板状をした一対の分割接地体Ｔ３１で構成されている。各分割接地体Ｔ３１の上面における左右方向の中央部に三角形状のブラケット４５が一体に取付けられて、このブラケット４５の上端部が連結ピン４６を介して支持脚３１の下端部に連結されている。よって、各支持脚３１の下端部に連結された各分割接地体Ｔ３１は、機体１の前進によりそれぞれ独立して後方に折り曲げられる。一対の分割接地体Ｔ３１を備えたスタンド装置Ｓ３  による機体１の仮支持、及び各分割接地体Ｔ３１の機体１の後方への折り曲げ作用は、前記スタンド装置Ｓ１  の接地体Ｔ１  とほぼ同一である。この接地体Ｔ３  は、一対の分割接地体Ｔ３１で構成されていて、その全長が短いので、取扱いが簡単で、しかも機体１の後方に折り曲げられて牽引される際の抵抗が小さい利点がある。
【００２７】
また、図９に示されるスタンド装置Ｓ４  を構成する接地体Ｔ４  は、左右方向に二分され、かつ左右方向に所定間隔をおいて配置される短ローラ状をした一対の分割接地体Ｔ４１で構成されている。即ち、短ローラ状の分割接地体Ｔ４１は、その両端部が支持ピン４７を介してフレーム４８に支持され、このフレーム４８の長手方向の中央部に取付けられた連結ブラケット４９の上端部が支持脚３１の下端部に連結ピン５１を介して連結されている。よって、機体１を持ち上げると、図９に示されるように、一対の支持脚３１の下端部に各分割接地体Ｔ４１が垂直に吊り下げられた状態となって、そのまま機体１を下げると、各分割接地体Ｔ４１がそのままの姿勢で土面Ｇに接地して、各作溝輪Ｗが土面Ｇから離間した状態で機体１が支持される。この状態では、各支持脚３１の下端部前面に取付けられたストッパ板４４によって、各分割接地体Ｔ４１が機体１に対して前方に回動するのが阻止される。また、ストッパ板４４の替わりに、鎖を引っ張って接地体が前方に回動しないようにすることもできる。この状態で、機体１が前進すると、各分割接地体Ｔ４１は、各支持脚３１（機体１）に対して後方に折り曲げられて、機体１が下がる。このスタンド装置Ｓ４  においても、全長が短い一対の分割接地体Ｔ４１により接地体Ｔ４  が構成されており、しかも分割接地体Ｔ４１はローラ状であるために、機体１の後方に折り曲げられて牽引される際の抵抗が小さい利点がある。
【００２８】
【発明の効果】
本発明に係る不耕起直播機は、機体の前部に略垂直に取付けられた支持脚の下端部に接地体が回動可能に連結されたスタンド装置を備えていて、播種溝の成形開始前及び成形終了後において機体を１８０°旋回させて下げた場合には、前記スタンド装置の接地体が土面に接地することにより、作溝輪装置が土面から離間した状態で機体が仮支持されるため、機体を下げた際に播種導管の先端の放出口に土が詰まらなくなると共に、機体が前進を開始すると、機体を仮支持していた接地体が後方に折り曲げられて、回転中の作溝輪により形成された播種溝の上縁に播種導管の先端の放出口が案内される。よって、播種導管の先端の放出口に土が詰まることなく、作溝直後の播種溝内にスムーズに播種を行うことができる。
【図面の簡単な説明】
【図１】本発明に係るスタンド装置Ｓ１  によって機体１の全体が持ち上げられて、土面Ｇに対して作溝輪装置Ａが離間して配置された状態の不耕起直播機の側面図である。
【図２】スタンド装置Ｓ１  の接地体Ｔ１  が機体１の後方に回動した作業状態の不耕起直播機の側面図である。
【図３】機体１の全体が持ち上げられた状態の不耕起直播機の概略平面図である。
【図４】作溝輪装置Ａを前方から見た図である。
【図５】作溝直後の播種溝Ｖに播種・施肥が行われる状態を示す斜視図である。
【図６】（イ），（ロ）は、それぞれ機体１を土面Ｇから持ち上げた状態、及び播種・施肥の作業を行う状態のスタンド装置Ｓ１  の斜視図である。
【図７】スタンド装置Ｓ２  の斜視図である。
【図８】スタンド装置Ｓ３  の斜視図である。
【図９】スタンド装置Ｓ４  の斜視図である。
【図１０】不耕起直播機の機体１の旋回後において播種導管１６の先端の放出口１６ａに土が詰まる状態を示す側面図である。
【符号の説明】
Ａ：作溝輪装置
Ｂ：播種装置
Ｇ：土面
Ｋ：種子
Ｓ１  〜Ｓ４  ：スタンド装置
Ｔ１  〜Ｔ４  ：接地体
Ｔ３１，Ｔ４１：分割接地体
Ｕ：土
Ｖ：播種溝
Ｗ：作溝輪
１：機体
１６：播種導管
１６ａ：播種導管の放出口
３１：支持脚
４１：リンク体
４４：ストッパ板
【図１】
2004254589.tif 000003
【図２】
2004254589.tif 000004
【図３】
2004254589.tif 000005
【図４】
2004254589.tif 000006
【図５】
2004254589.tif 000007
【図６】
2004254589.tif 000008
【図７】
2004254589.tif 000009
【図８】
2004254589.tif 000010
【図９】
2004254589.tif 000011
【図１０】
2004254589.tif 000012